(57)【要約】【課題】記憶媒体を使用する加熱調理器の安全性を簡単勝安価に向上させる。【解決手段】記憶媒体１と、前記記憶媒体１のホルダー３と、前記記憶媒体のホルダーを保持する保持板４と、前記保持板が取り付けられる操作パネルの外壁５と、前記記憶媒体に嵌合させた状態で前記ホルダーに前記記憶媒体を挿入する電気的絶縁物質からなる記憶媒体保持具６を備え、前記記憶媒体保持具６は加熱調理器に装着した状態で人が触れることができる部位から前記記憶媒体内部の内部配線までの空間距離又は絶縁物質表面に沿った沿面距離が規定の絶縁距離を確保する構成としてあり、簡単な構成で安全かつ安価な加熱調理器を提供することができる。【選択図】図１
2008128512.tif 000002
【特許請求の範囲】
【請求項１】
記憶媒体と、前記記憶媒体のホルダーと、前記記憶媒体のホルダーを保持する保持板と、前記保持板が取り付けられる操作パネルの外壁と、前記記憶媒体に嵌合させた状態で前記ホルダーに前記記憶媒体を挿入する電気的絶縁物質からなる記憶媒体保持具を備え、前記記憶媒体保持具は加熱調理器に装着した状態で人が触れることができる部位から前記記憶媒体内部の内部配線までの空間距離又は絶縁物質表面に沿った沿面距離が規定の絶縁距離を確保する構成とした加熱調理器。
【請求項２】
記憶媒体保持具は記憶媒体に嵌合するロック機構を有する構成とした請求項１に記載の加熱調理器。
【請求項３】
記憶媒体保持具は憶媒体を加熱調理器本体から取り出す時に引き出しやすくする溝を設けた請求項１または２に記載の加熱調理器。
【発明の詳細な説明】
【技術分野】
【０００１】
本発明は記憶媒体（以後メモリーカードと称す）を使用する加熱調理器に関するものである。
【背景技術】
【０００２】
従来、この種のメモリーカードを使用した電子レンジ等の加熱調理器は、業務用として複数の店舗で同じメニューを加熱調理したりするような場合にはその調理時間や温度設定をあらかじめ加熱調理器に記憶させて使用したり、一般家庭においてはパソコンから調理に関する情報（例えば献立、材料、調理手順）をメモリーカードに取り込んで加熱調理器を便利に使用する時に利用されつつある。そしてこのメモリーカードは水や洗剤液などの液体が浸入するのを防止して、メモリーカードとホルダーを液体の侵入から保護するカバーを具備している（例えば、特許文献１参照）。
【特許文献１】特開２００３−７４８６９号公報
【発明の開示】
【発明が解決しようとする課題】
【０００３】
しかしながら、前記従来の構成では、指がメモリーカードの端に触れた時に、メモリーカードの内部電気配線と指との間の絶縁距離は、現在市場で容易に入手できる一般的なメモリーカードの構造では、安全規格（日本の電気用品の技術上の基準を定める省令やＩＥＣ規格やＵＬ規格）により定められた距離を十分に満足する事はできていなかった。
【０００４】
これは一般的なメモリーカードの場合には内部の電気部品がそれを覆う外部樹脂部品によってサンドイッチ状に挟み込まれた形状をしており、電気部品や内部内線が外部には露出していないものの、メモリーカード外周部から内部配線までの沿面距離が小さいためである。そのため安全規格を満足する為には、電源部を二重絶縁構造にするとか、あるいはメモリーカードへの電気信号の伝達にフォトカプラー等の絶縁部品を使用するなどの特別な部品を必要とするという課題を有していた。
【０００５】
本発明は前記従来の課題を解決するもので、安価で簡単な構造の部品を提供することで、メモリーカードの内部配線から人体に至るまでの絶縁距離を容易に確保でき、従来必要であった二重絶縁構造の電気部品や、フォトカプラー等の電気部品を使用する必要が無い、安価な加熱調理器を提供することを目的としている。
【課題を解決するための手段】
【０００６】
前記従来の課題を解決するために、本発明の加熱調理器は、記憶媒体であるメモリーカードを加熱調理器に装着する場合に、メモリーカードに記憶媒体保持具を嵌合させてから加熱調理器に装着する構造としてあり、装着時にメモリーカードの内部配線と指との間の距離を規定の距離以上に保つ事ができるようになる。
【０００７】
これによって、メモリーカードの内部配線と指の間は、電気的絶縁物からなる記憶媒体保持具により絶縁距離が確保され、メモリーカード内部の配線と電源一次側との間の絶縁が簡単に形成できる。
【発明の効果】
【０００８】
本発明の加熱調理器は、電気的絶縁物からなる記憶媒体保持具により、メモリーカードの内部配線と指の間の絶縁距離が容易に確保できるので、電源とメモリーカードの内部配線までは従来の基礎絶縁、メモリーカード１の内部配線と人体の指との間は前記記憶媒体
保持具により規定の絶縁距離が確保されることになり、絶縁として、二重の絶縁構成となったことになる。よって、安全で安価な加熱調理器を提供することができる。
【発明を実施するための最良の形態】
【０００９】
第１の発明は、記憶媒体と、前記記憶媒体のホルダーと、前記記憶媒体のホルダーを保持する保持板と、前記保持板が取り付けられる操作パネルの外壁と、前記記憶媒体に嵌合させた状態で前記ホルダーに前記記憶媒体を挿入する電気的絶縁物質からなる記憶媒体保持具を備え、前記記憶媒体保持具は加熱調理器に装着した状態で人が触れることができる部位から前記記憶媒体内部の内部配線までの空間距離又は絶縁物質表面に沿った沿面距離が規定の絶縁距離を確保する構成としてあり、簡単な構成で安全かつ安価な加熱調理器を提供することができる。
【００１０】
第２の発明は、特に、第１の発明の記憶媒体保持具が記憶媒体に嵌合するロック機構を有する構成としてあり、メモリーカードを加熱調理器から外す時に、メモリーカードが記憶媒体保持具から外れて加熱調理器内部の構成部品であるホルダー内に残ってしまうという問題を防止できるようになり、メモリー脱着時の使い勝手が向上する。
【００１１】
第３の発明は、特に、第１または第２の発明の記憶媒体保持具に記憶媒体を加熱調理器本体から取り出しやすくする溝を設けた構成としてあり、使い勝手が向上する。
【００１２】
以下、本発明の実施の形態について、図面を参照しながら説明する。なお、この実施の形態によって本発明が限定されるものではない。
【００１３】
（実施の形態１）
図１は本発明の実施の形態１における加熱調理器のメモリーカードの挿入部位を示すもので、ａは断面図ｂは平面図である。また図２は同実施の形態１における電気的絶縁物質からなる記憶媒体保持具の斜視図である。
【００１４】
図１において、メモリーカード１を、一般にプリント基板である印刷配線板２に装着して半田付けされたホルダー３に挿入することによって、メモリーカード内部の配線が印刷配線板２を介して加熱調理器の制御装置に電気的に接続される。印刷配線板２やホルダー３は、保持板４を介して加熱調理器の操作パネル外壁５に嵌合している。
【００１５】
本実施の形態の記憶媒体保持具６は電気的絶縁物質で形成されていて、メモリーカード１の一端側に装着さ、加熱調理器に装着した状態で人が触れることができる部位から前記記メモリーカード内部の内部配線までの空間距離又は絶縁物質表面に沿った沿面距離が規定の絶縁距離を確保する構成とてある。図２は、メモリーカード１を記憶媒体保持具６に挿入し嵌合させる遷移状態を示す。さらに図３は、前記メモリーカード１を記憶媒体保持具６に嵌合させたものを、加熱調理器の操作パネル外壁５に開けられたスリット状の開口部５ａを通してホルダー３に挿入する方法を示す斜視図である。
【００１６】
図１の断面図と比較対比すれば容易にわかるように、記憶媒体保持具６は、操作パネル外壁５のスリット状の開口部５ａの中に埋没する構造となっている為に、挿入した状態では、人体の指とメモリーカード１の内部配線との間は、記憶媒体保持具６により電気的に絶縁される。
【００１７】
図４は、加熱調理器本体７の電気的絶縁構成を示すとともにメモリーカード１とそれに接触する指８との位置関係を説明する為の説明図である。図４の加熱調理器本体７の制御装置１０と電源コード９の間は、絶縁トランス１１と、熱源への電力を開閉するマグネットリレー１２とにより電源から電気的に絶縁されている。
【００１８】
制御装置１０とメモリーカード１との間は電気的に直接接続されている場合、メモリーカードの内部配線１７と指８の間の距離を図のｄで示すと、図４の右側上部に示す普通のメモリーカードでは通常２mm程度しかなく、この寸法では、指８と制御装置１０との間は、安全規格により定められた絶縁距離を満足できない。そのため従来は安全規格を満たす為には絶縁トランス１１とリレー１２を通常の基礎絶縁以上に絶縁を強化した二重絶縁構造とした部品を使用しなければならなかった。あるいは、制御装置１０とメモリーカード１との間に、フォトカプラ−等の絶縁部品を使用していた。
【００１９】
しかしながら、本実施の形態に示すように、記憶媒体保持具６をメモリーカード１に装着すると、図４の右側下部のｄ’寸法で示すように、メモリーカード１の内部配線から指８までの距離ｄ’は各国の安全規格に定める絶縁距離（例えばＩＥＣ規格の場合４mm）を容易に満足するようになる。このため前記絶縁トランス１１やリレー１２は、従来の安価な基礎絶縁のみから構成された電気部品を使用することができる。すなわち、調理器側になんらの対策を施すことなく規格を満足することができ、既存の調理器にそのまま使用できる。
【００２０】
次に使用方法について説明していく。まず、メモリーカード１に記憶媒体保持具６を装着し、加熱調理器のホルダー３に挿入する。これによって、メモリーカード１の内部配線が加熱調理器の制御装置１０に接続される。この時に人体の指８とメモリーカード１の内部配線との間は、記憶媒体保持具６により絶縁距離が十分に確保される。従って電源とメモリーカード１の内部配線までは従来の基礎絶縁、メモリーカード１の内部配線と人体の指との間は規定の絶縁距離が確保されることになり、絶縁として、二重の絶縁構成となったことになる。
【００２１】
従来ではメモリーカードと人体の間の絶縁距離が確保できない場合には、電源とメモリーカードの内部配線の間は電源部を二重絶縁にするか、加熱調理器の制御装置とメモリーカードの内部配線との間をフォトカプラー等を使って絶縁する事が必要であった。しかしながら、本実施の形態の記憶媒体保持具を使用する事により、前記電源部の二重絶縁やフォトカプラ−等の絶縁部品が不要となり、従来の安価で入手容易な電気部品を使用する事が可能になり、安全で安価な加熱調理器を提供することができるようになる。
【００２２】
（実施の形態２）
図２において、記憶媒体保持具６にはロック機構１３が設けてあり、図２のメモリーカード１を記憶媒体保持具６に挿入した時に、メモリーカード上面の溝１４にロック機構１３の爪が嵌合する事によって、メモリーカード１が記憶媒体保持具６から容易に外れる事を防止している。なお、図１の断面図はロック機構１３の爪がメモリーカードの溝１４に嵌合している状態を示している。
【００２３】
以上のように構成された加熱調理器では、メモリーカード１を記憶媒体保持具６に装着した時に、ロック機構１３によりお互いを保持できる。よって、メモリーカード１を加熱調理器のホルダー３から取り外す時に、メモリーカード１が加熱調理器のホルダー３に取り残されたり、または加熱調理器を使用中に記憶媒体保持具６がメモリーカード１から容易に外れて散逸したりすることが防止できる。
【００２４】
（実施の形態３）
図２において、１５は記憶媒体保持具６の表面に設けた溝で、図１の断面図からわかるように、メモリーカード１をホルダー３より取り出す時に、記憶媒体保持具６を容易につかむことができるようになり、記憶媒体保持具６を加熱調理器から容易に着脱する事ができる。
【産業上の利用可能性】
【００２５】
以上のように、本発明にかかる加熱調理器は、メモリーカードの内部配線と指の間の絶縁距離が容易に確保できるようになり、メモリーカード内部の配線と電源一次側との間の電気的絶縁を簡単に構成にすることが可能となるので、従来必要であった二重絶縁構造の電気部品や、フォトカプラー等の電気部品を使用する必要が無い、安価な加熱調理器を提供できる。
【図面の簡単な説明】
【００２６】
【図１】（ａ）本発明の実施の形態１における加熱調理器のメモリーカードの挿入部位を示す断面図（ｂ）同平面図
【図２】同実施の形態１及び２，３における記憶媒体保持具の斜視図
【図３】同実施の形態１及び２，３における加熱調理器要部の斜視図
【図４】同加熱調理器本体とメモリーカード及び指との位置関係を示す斜視図
【符号の説明】
【００２７】
１  メモリーカード（記憶媒体）
２  印刷配線板
３  ホルダー
４  保持板
５  操作パネル外壁
６  記憶媒体保持具
７  加熱調理器本体
８  指
９  電源コード
１０  制御装置
１１  絶縁トランス
１２  リレー
１３  ロック機構
１４  溝
１５  記憶媒体保持具表面の溝
１６  記憶媒体保持具側面の溝
１７  メモリーカードの内部配線
【図１】
2008128512.tif 000003
【図２】
2008128512.tif 000004
【図３】
2008128512.tif 000005
【図４】
2008128512.tif 000006